(57)【要約】【課題】本発明は主として複数のアンテナを要する通信機器に用いられるアンテナ装置に関するものであり、通信機器におけるアンテナ間のアイソレーション特性を維持しつつ通信機器の小型軽量化が可能となるアンテナ装置を提供するものである。【解決手段】特に、それぞれのアンテナを構成するアンテナ素子２，３が給電点４，５を介して接続される地板１に対して、両端が地板１に接続された無給電素子６をさらに配置した構成とした。【選択図】図１
2006042111.tif 000002
【特許請求の範囲】
【請求項１】
地板と、この地板に一端が第１の給電点を介して接続された第１のアンテナ素子と、前記地板に一端が第２の給電点を介して接続された第２のアンテナ素子とを備え、前記地板に両端が接続された無給電素子を配置したことを特徴とするアンテナ装置。
【請求項２】
無給電素子の端部を、地板における第１の給電点の接続点と前記地板における第２の給電点の接続点との間に位置する領域、もしくは前記地板における第１の給電点の接続点或いは前記地板における第２の給電点の接続点の近傍領域に接続したことを特徴とする請求項１に記載のアンテナ装置。
【請求項３】
無給電素子の端部を、地板における第１の給電点の接続点と前記地板における第２の給電点の接続点との間に位置する領域に配置するとともに、前記無給電素子を部分的に前記第１、第２のアンテナ素子と並設させたことを特徴とする請求項２に記載のアンテナ装置。
【請求項４】
無給電素子とこの無給電素子の両端部間に位置する地板領域で形成されるループ経路の電気長を所定の周波数における略一波長となるように設定したことを特徴とする請求項１に記載のアンテナ装置。
【発明の詳細な説明】
【技術分野】
【０００１】
本発明は、主として複数のアンテナを要する通信機器に用いられるアンテナ装置に関するものである。
【背景技術】
【０００２】
近年、携帯電話に代表されるように各種通信機器においては、ＧＳＭやＤＣＳやＵＭＴＳといった異なる通信システムを単一の機器において利用するサービスが提供されている。
【０００３】
そして、このような通信機器においては、それぞれの通信システムに対応したアンテナが必要となり、これに伴いそれぞれのアンテナ間のアイソレーション特性を確保することが重要となっている。
【０００４】
従来、このようなアンテナ間のアイソレーション特性を確保するために、アンテナ間にそれぞれのアイソレーション特性を確保する切換スイッチ回路やフィルタ回路などの付加回路が設けられていた。
【０００５】
なお、この出願の発明に関する先行技術文献情報としては、例えば、特許文献１が知られている。
【特許文献１】特開２００３−１２４７３０号公報
【発明の開示】
【発明が解決しようとする課題】
【０００６】
しかしながら、このような通信機器、特に小型軽量化が命題となっている移動体通信端末等においては、アンテナ間のアイソレーション特性を確保するために設けられる付加回路は小型軽量化に対して不利な要素となっていた。
【０００７】
そこで、本発明はこのような課題を解消し、通信機器におけるアンテナ間のアイソレーション特性を維持しつつ通信機器の小型軽量化が可能となるアンテナ装置を提供するものである。
【課題を解決するための手段】
【０００８】
この目的を達成するために本発明は、特に、それぞれのアンテナを構成するアンテナ素子が給電点を介して接続される地板に対して両端が接続された無給電素子をさらに配置した構成としたのである。
【発明の効果】
【０００９】
この構成とすれば、アンテナ素子間のアイソレーション特性を劣化させる地板を通じて流れる電流が無給電素子に流れ込み、その共振現象により他方のアンテナ素子に励振される電流が低減される。このため、付加回路を設けなくともアンテナ間のアイソレーション特性が確保されるので、通信機器におけるアンテナ間のアイソレーション特性を維持しつつ通信機器の小型軽量化が可能とできるのである。
【発明を実施するための最良の形態】
【００１０】
以下、本発明の一実施形態について図を用いて説明する。
【００１１】
図１は通信機器の一例である携帯電話を想定し、この携帯電話に設けられたアンテナ装置を模式的に示したものであり、携帯電話内に設けられた地板１に対して２本のアンテナ素子２，３が給電点４，５を介して接続した従来のアンテナ装置構造に加え、さらに両端が地板１に接続された無給電素子６を設けた構成となっている。
【００１２】
そして、地板１に両端が接続された無給電素子６を設けることにより、各アンテナを構成するアンテナ素子２，３の間のアイソレーション特性が確保できるのである。
【００１３】
すなわち、単一の地板１に対して２つのアンテナ素子２，３を接続した場合、一方のアンテナ素子２が動作するとき、アンテナ素子２により励振された電流が矢印７で示されるように地板１の端縁領域に沿って他方のアンテナ素子３に流れ込み、この電流により他方のアンテナ素子３が励振することで、アンテナ素子２，３の間のアイソレーション特性が劣化するものである。
【００１４】
そこで、地板１に無給電素子６を配置することで、矢印８で示されるように無給電素子６と地板１とでループ経路が形成され、このループ経路に先に述べた電流が流れ込むようになり、この電流によりループ経路で共振現象が生じ、この共振現象に伴いアンテナ素子３に励振される電流が低減されアンテナ素子２，３の間のアイソレーション特性を向上できるので、従来このアイソレーション特性を確保するために設けられていた切換スイッチ回路やフィルタ回路などの複雑な付加回路を設ける必要が無くなり、通信機器の小型軽量化が可能となるのである。
【００１５】
また、無給電素子６はアンテナ素子２，３の間におけるアイソレーション特性の向上を目的として設定されるものであることから、それぞれのアンテナ素子２，３における周波数特性を考慮しその無給電素子６により形成されるループ経路の電気長を設定することが望ましく、それぞれのアンテナ素子２，３の基本周波数や高調波成分を考慮し適宜その周波数を決定し、ループ経路の電気長を特にその周波数における一波長に設定すれば効率よくアイソレーション特性を改善できるのである。
【００１６】
また、地板１に対する無給電素子６の接続位置については、基本的にアンテナ素子２，３の間に流れる電流を引き込める位置であれば良く、この一実施形態においては無給電素子６の両端をアンテナ素子２，３の間における地板１の端縁部分に配置した構成を挙げて説明したが、図２に示されるようにアンテナ素子２，３の接続点の近傍領域であれば電流分布が高いのでアンテナ素子２，３の外側に配置しても同様の効果が得られ、また、図３に示されるように一方の接続点を図２の実施形態と同様にアンテナ素子２，３の外側に配置し他方の接続点をアンテナ素子２，３の間に配置した場合でも同様の効果が得られるものである。
【００１７】
ただし、無給電素子６を図１に示されるようにアンテナ素子２，３の間に配置するとともに、部分的に無給電素子６をそれぞれのアンテナ素子２，３と並設するように配置することにより、無給電素子６がアンテナ素子２，３の反射器として機能するため、さらにアンテナ素子２，３の間のアイソレーション特性を向上させることができるのである。
【００１８】
なお、上述した実施形態においては、携帯電話を想定したアンテナ装置を例に挙げて説明したが、本発明はこの実施形態に限定されるものではなく、複数のアンテナを必要とする各種通信機器に用いられるアンテナ装置として効果を奏するものである。
【産業上の利用可能性】
【００１９】
本発明にかかるアンテナ装置は、複数のアンテナ間のアイソレーション特性を向上させることができ、このアンテナ装置を用いた通信機器の小型軽量化ができるという効果を有し、特に携帯電話などのような小型軽量化が望まれる移動体通信機器用途において有用である。
【図面の簡単な説明】
【００２０】
【図１】本発明の一実施形態におけるアンテナ装置の模式図
【図２】他の実施形態におけるアンテナ装置の模式図
【図３】さらに他の実施形態におけるアンテナ装置の模式図
【符号の説明】
【００２１】
１  地板
２，３  アンテナ素子
４，５  給電点
６  無給電素子
【図１】
2006042111.tif 000003
【図２】
2006042111.tif 000004
【図３】
2006042111.tif 000005